(57)【要約】【課題】圧縮機内で異常な高温となったことを検知して圧縮機を保護する動作を実行可能とした、圧縮機用の保護装置を提供する。【解決手段】温度検出手段１０２を、異常時発熱源１０６の温度を直接的に又は固体若しくは剛体を介して間接的に検出する位置に配置し、圧縮機の内部へ吸入される流体の流れが滞るような場合でも、圧縮機内で異常状態判定用の闘値以上の高温となったことを検知して圧縮機を保護する動作を行うことを可能とする。【選択図】        図１
2008133778.tif 000002
【特許請求の範囲】
【請求項１】
ハウジングの内部に装着された圧縮部の旋回部材を、駆動装置で旋回するように駆動することによって、吸入口から吸入した冷媒を圧縮して吐出口から吐出する圧縮機で、温度検出手段で温度を検出することにより異常を検知して圧縮機を保護する圧縮機用の保護装置において、
前記温度検出手段を、
前記圧縮機の異常状態時に高温となる異常時発熱源の部材の温度を直接的に検出する位置、
又は異常時発熱源から固体中を伝達された熱エネルギで加熱された部材の温度を間接的に検出する位置に配置し、
前記温度検出手段で、高温となる異常状態判定用の閾値以上の温度を検出したときに、前記駆動装置で前記旋回部材を旋回させる動作を停止させる手段を有することを特徴とする圧縮機用の保護装置。
【請求項２】
ハウジングの内部に装着された圧縮部の旋回部材を、駆動装置で旋回するように駆動することによって、吸入口から吸入した冷媒を圧縮して吐出口から吐出する圧縮機で、温度検出手段で温度を検出することにより異常を検知して圧縮機を保護する圧縮機用の保護装置において、
前記ハウジングを、少なくとも、前記圧縮部における低圧側の部分をカバーする低圧側ハウジングと、その他のハウジングとで構成し、
前記圧縮部における低圧側にある異常時発熱源から熱伝導を受ける前記低圧側ハウジングに、温度検出手段を設置し、
前記温度検出手段で、高温となる異常状態判定用の閾値以上の温度を検出したときに、前記駆動装置で前記旋回部材を旋回させる動作を停止させる手段を有することを特徴とする圧縮機用の保護装置。
【請求項３】
前記温度検出手段を、前記低圧側ハウジングにおける、冷媒流通路に表出しない箇所に配置したことを特徴とする請求項２に記載の圧縮機用の保護装置。
【請求項４】
前記温度検出手段を、前記低圧側ハウジングにおける、前記異常時発熱源となる、前記旋回部材を支受するスラスト軸受近傍に配置したことを特徴とする請求項２又は請求項３に記載の圧縮機用の保護装置。
【請求項５】
前記温度検出手段を、
前記低圧側ハウジングと前記駆動装置との間に配置したクラッチの軸受の近傍となる前記低圧側ハウジングの一部に、配置したことを特徴とする請求項２又は請求項３に記載の圧縮機用の保護装置。
【請求項６】
前記閾値を、１００℃以上に設定したことを特徴とする請求項１乃至請求項５の何れか１項に記載の圧縮機用の保護装置。
【発明の詳細な説明】
【技術分野】
【０００１】
この発明は、気体等の流体を圧縮する圧縮機において、温度を検出することにより異常を検知して圧縮機を保護する動作を行うようにした、圧縮機用の保護装置に関する。
【背景技術】
【０００２】
一般に、車載用空調装置などに使用される圧縮機には、スクロール圧縮機がある。
【０００３】
スクロール圧縮機は、端板の一側面にうず巻状の壁体を立設した固定スクロールと、端板の一側面に固定スクロールの壁体に対応して略同一形状に形成したうず巻状の壁体を設けた旋回スクロールとを、各壁体間に圧縮室を作るように組み合わせた状態でハウジング内に収容して構成する。
【０００４】
スクロール圧縮機は、固定スクロールに対して旋回スクロールを、自転が阻止された状態で公転旋回運動させることにより、各壁体間に形成した圧縮室の容積を漸次減少させ、この圧縮室内の気体を圧縮する。
【０００５】
このようなスクロール圧縮機では、その運転中に何らかの異常によって、スクロール圧縮機内が高温になると、圧縮機内にあるオイルが劣化し、冷媒が分解するという弊害を引き起こすことになる。
【０００６】
そこで、従来のスクロール圧縮機では、圧縮機における吐出蒸気温度を検知し得る位置に、温度検知器を取り付け、この温度検知器で検出した温度が所定温度よりも高くなった場合に、圧縮機の運転を停止する圧縮機用の保護装置が提案されている（例えば、特許文献１参照）。
【０００７】
この従来のスクロール圧縮機用の保護装置では、運転中に異常が発生したため圧縮機内部で冷媒である流体が加熱されて吐出される場合に、この加熱された流体の温度（吐出蒸気温度）を温度検知器で検出することによって異常状態を検出するものである。
【０００８】
【特許文献１】特開平９−２０９８８７号公報
【発明の開示】
【発明が解決しようとする課題】
【０００９】
しかしながら、例えばエアコンシステムの保護が故障した場合、圧縮機の低圧側（吸入側）へ冷媒が流れ込まなくなり吸入側の空間内が真空に近い状態で運転されることにより、圧縮機内の摺動部が摩擦熱で高温となる異常状態を生じることがまれにある。
【００１０】
このような場合に、従来のスクロール圧縮機用の保護装置では、スクロール圧縮機における吐出側から流体が吐出しないのでスクロール圧縮機の吐出側が加熱されないため、吐出流体の温度を検知し得る位置に配置した温度検知器で異常を検出することが困難であるという問題がある。
【００１１】
本発明は、上述の点に鑑み、圧縮機内で異常な高温となったことを検知して圧縮機を保護する動作を実行可能とした、圧縮機用の保護装置を新たに提供することを目的とする。
【課題を解決するための手段】
【００１２】
本発明の請求項１に記載の圧縮機用の保護装置は、ハウジングの内部に装着された圧縮部の旋回部材を、駆動装置で旋回するように駆動することによって、吸入口から吸入した冷媒を圧縮して吐出口から吐出する圧縮機で、温度検出手段で温度を検出することにより異常を検知して圧縮機を保護する圧縮機用の保護装置において、温度検出手段を、圧縮機の異常状態時に高温となる異常時発熱源の部材の温度を直接的に検出する位置、又は異常時発熱源から固体中を伝達された熱エネルギで加熱された部材の温度を間接的に検出する位置に配置し、温度検出手段で、高温となる異常状態判定用の閾値以上の温度を検出したときに、駆動装置で旋回部材を旋回させる動作を停止させる手段を有することを特徴とする。
【００１３】
上述のように構成することにより、温度検出手段が、異常時発熱源の部材の温度を直接的に検出し又は異常時発熱源から固体である部材中を伝達された熱エネルギで加熱された部材の温度を間接的に検出する。
【００１４】
よって、このスクロール圧縮機では、冷媒等、流れにくくなることがあるような媒体を媒介として異常時発熱源の温度を検出するものと比較して、冷媒等が流れにくくなるような異常時において、発熱源の温度検出が不能となることを防止できるので、異常時発熱源の温度の検出をより確実に実行できる。
【００１５】
このため、圧縮機の内部へ吸入される流体の流れが滞るような場合でも、圧縮機内で異常な高温となったことを検知して圧縮機を保護する動作を行うことができるので、圧縮機を保護することの信頼性を向上できる。
【００１６】
本発明の請求項２に記載の圧縮機用の保護装置は、ハウジングの内部に装着された圧縮部の旋回部材を、駆動装置で旋回するように駆動することによって、吸入口から吸入した冷媒を圧縮して吐出口から吐出する圧縮機で、温度検出手段で温度を検出することにより異常を検知して圧縮機を保護する圧縮機用の保護装置において、ハウジングを、少なくとも、圧縮部における低圧側の部分をカバーする低圧側ハウジングと、その他のハウジングとで構成し、圧縮部における低圧側にある異常時発熱源から熱伝導を受ける低圧側ハウジングに、温度検出手段を設置し、温度検出手段で、高温となる異常状態判定用の閾値以上の温度を検出したときに、駆動装置で旋回部材を旋回させる動作を停止させる手段を有することを特徴とする。
【００１７】
上述のように構成することにより、圧縮部における低圧側にある異常時発熱源の部材から熱伝導を受ける吸入側ハウジングに設置された温度検出手段が温度を検出する。
【００１８】
よって、このスクロール圧縮機では、冷媒等の流体である媒体を媒介として異常時発熱源の温度を検出するものと比較して、冷媒等が流れにくくなるような異常時において、発熱源の温度検出が不能となることを防止できるので、異常時発熱源の温度の検出をより確実に実行できる。
【００１９】
このため、圧縮機の内部へ吸入される流体の流れが滞るような場合でも、圧縮機内で異常な高温となったことを検知して圧縮機を保護する動作を行うことができるので、圧縮機を保護することの信頼性を向上できる。
【００２０】
請求項３に記載の発明は、請求項２に記載の圧縮機用の保護装置において、温度検出手段を、前記低圧側ハウジングにおける、冷媒流通路に表出しない箇所に配置したことを特徴とする。
【００２１】
上述のように構成することにより、請求項２に記載の発明の作用、効果に加えて、温度検出手段が冷媒流通路に表出した部分で冷やされて温度の検出の精度が低下するのを防止できる。
【００２２】
請求項４に記載の発明は、請求項２又は請求項３に記載の圧縮機用の保護装置において、温度検出手段を、低圧側ハウジングにおける、異常時発熱源となる、旋回部材を支受するスラスト軸受近傍に配置したことを特徴とする。
【００２３】
上述のように構成することにより、請求項２又は請求項３に記載の発明の作用、効果に加えて、異常時発熱源となるスラスト軸受部の近傍で温度を検出するので、高温を発生する異常状態が発生した時に遅滞無く温度検出し、直ちにスクロール圧縮機の動作を停止して損傷が発生することを有効に抑制できる。
【００２４】
請求項５に記載の発明は、請求項２又は請求項３に記載の圧縮機用の保護装置において、温度検出手段を、低圧側ハウジングと駆動装置との間に配置したクラッチの軸受の近傍となる低圧側ハウジングの一部に、配置したことを特徴とする。
【００２５】
上述のように構成することにより、請求項２又は請求項３に記載の発明の作用、効果に加えて、吸入側ハウジングに配置されたクラッチの軸受の付近が、吸入側ハウジングの他の位置よりも運転時のベース温度が高いので、高温となる異常状態を生じたときに、吸入側ハウジングにおけるクラッチの軸受の付近の温度が最も短時間で異常状態判定用の閾値まで上昇するので、高温を発生する異常状態が発生した時に遅滞無く温度検出してスクロール圧縮機の動作を停止し、損傷が発生することを有効に抑制できる。
【００２６】
請求項６に記載の発明は、請求項１乃至請求項５の何れか１項に記載の圧縮機用の保護装置において、閾値を、１００℃以上に設定したことを特徴とする。
【００２７】
上述のように構成することにより、請求項１乃至請求項５の何れか１項に記載の発明の作用、効果に加えて、圧縮機用の保護装置が誤作動で圧縮機の動作を停止させてしまうことを抑制し、動作上の信頼性を向上できる。
【発明の効果】
【００２８】
本発明の圧縮機用の保護装置は、内部へ吸入される流体の流れが滞るような場合でも、圧縮機内で異常な高温となったことを検知して圧縮機を保護する動作を行うことができるので、圧縮機を保護することの信頼性を向上できる。
【発明を実施するための最良の形態】
【００２９】
次に、本発明の圧縮機用の保護装置に関わる実施の形態について図面を参照しながら詳細に説明する。
【実施例１】
【００３０】
図１は、本発明の実施例１にかかるスクロール圧縮機を表す断面図、図２は、実施例１のスクロール圧縮機における固定スクロールの概略斜視図、図３は、実施例１のスクロール圧縮機における旋回スクロールの概略斜視図である。
【００３１】
本実施例１のスクロール圧縮機は、主として車両用空調装置の冷媒（ここで冷媒は、気体であれば良い）を圧縮するために用いられる。このスクロール圧縮機は、図１に示すように、ハウジング１１と、圧縮部１２と、この圧縮部１２を駆動する駆動装置１３とを有する。
【００３２】
この圧縮部１２は、固定スクロール１４と旋回スクロール（旋回部材）１５とからなる。旋回スクロール１５と駆動装置１３とは、回転軸１６により連結して、駆動装置１３により旋回スクロール１５を駆動するよう構成する。
【００３３】
図１に、横置きに配置したハウジング１１を示すように、このハウジング１１は、吸入側（低圧側）ハウジング２１と、吐出側ハウジング２２とを一体的に組み付けて、スクロール圧縮機全体を包む略円筒形状をなす密閉容器として構成する。これら吸入側ハウジング２１と、吐出側ハウジング２２とは、相互に開口部を合わせた状態で、複数のハウジングボルト２３により締結して一体化する。
【００３４】
吸入側ハウジング２１は略円筒状をなし、端部に縮径したリング形状（変形筒状）をなす支持部２８が形成されている。また、この吸入側ハウジング２１の支持部２８の内周部には、軸受２９が装着されており、この軸受２９により回転軸１６が回転自在に支受されている。また、吸入側ハウジング２１の内周部には、回転軸１６と吸入側ハウジング２１との隙間を仕切ることで冷媒のガスの漏洩を防止するゴム製のリップシール３１が取り付けられている。なお、このスクロール圧縮機では、吸入口２６からリップシール３１へ続く空間である冷媒流通路内に、冷媒を通して潤滑等を図るように構成する。
【００３５】
この回転軸１６の先端部の外周側には、駆動装置１３を配置する。この駆動装置１３を構成するため、回転軸１６の先端部には、回転板３２を連結ボルト３３で締結する。この回転板３２の外周部には、リング形状をなす支持リング３４を複数の連結ピン３５で連結する。
【００３６】
この支持リング３４には、従動プーリ３６の端面を固定する。従動プーリ３６は、クラッチの軸受３７を介して吸入側ハウジング２１の支持部２８に回転自在に支受される。
【００３７】
この従動プーリ３６の内部には、電磁石３８を装着して、支持リング３４との間にマグネットクラッチ１０５を構成する。なお、図示しないが、この従動プーリ３６と、駆動源（例えば、エンジン）の出力軸との間には、ベルト伝達機構の駆動ベルトを巻装し、駆動源（例えば、エンジン）の回転力で従動プーリ３６を回転駆動するように構成する。
【００３８】
図１に示すように吸入側ハウジング２１は、その内部に圧縮部１２を収容するように構成する。この吸入側ハウジング２１と、圧縮部１２との間に作られる空間は、吸入口２６に連通する吸入室３９として構成する。
【００３９】
また、圧縮部１２では、固定スクロール１４と旋回スクロール１５とによって空間を区画することにより圧縮室４０を形成する。
【００４０】
図１に示すように吐出側ハウジング２２と、圧縮部１２の固定スクロール１４との間に作られる空間は、高圧室としての吐出室４１として構成する。この吐出室４１には、高圧ガス吐出用の貫通穴である吐出口４２を形成する。
【００４１】
圧縮部１２は、固定スクロール１４と旋回スクロール１５とで構成した、スクロール式圧縮機構であり、吸入口２６から吸入された冷媒のガスを圧縮して、吐出室４１の吐出口４２から吐出する機能を持つ。この冷媒のガスには、スクロール圧縮機のハウジング１１内の各部を潤滑するための潤滑油が、ミスト状にされて混入されている。
【００４２】
図１及び図２に示すところから分かるように、固定スクロール１４は、固定側端板４４と、この固定側端板４４の片面に形成されたうず巻状ラップ４５とを有する。この固定スクロール１４は、その固定側端板４４をボルト２３Ａにより吐出側ハウジング２２に固定し、そのうず巻状ラップ４５を吸入側ハウジング２１の内部に臨ませる状態で設置する。
【００４３】
この固定側端板４４の中央には、圧縮室４０と吐出室４１とを連通する吐出ポート４６を設ける。この吐出ポート４６は、吐出弁４７により開閉可能に構成する。
【００４４】
図１および図３に示すように、旋回スクロール１５は、旋回側端板５０と、この旋回側端板５０の片面に形成されたうず巻状ラップ５１とを有する。
【００４５】
この旋回スクロール１５のうず巻状ラップ５１には、前述した固定スクロール１４のうず巻状ラップ４５が噛み合うように組み合わされており、各うず巻状ラップ（ラップ）４５、５１の間の空間によって圧縮室４０が構成される。
【００４６】
また図１に示すように、圧縮部１２における旋回側端板５０の駆動装置１３側の面には、ボス５３を設ける。これと共に回転軸１６の旋回スクロール１５側の端部には、所定量だけ偏心した位置に偏心軸５４を設ける。この偏心軸５４には、旋回スクロール１５により発生するアンバランス量を打ち消すためのバランスウェイト５８を固定する。
【００４７】
この偏心軸５４に固定されているバランスウェイト５８の円筒部外周は、フローティングブッシュ５５および軸受５６を介してボス５３内に回動自在に支受されている。
【００４８】
このように構成した圧縮部１２では、回転軸１６を回転駆動して偏心軸５４を公転させることにより、偏心軸５４に対してバランスウェイト５８を介して支受されたボス５３と一体の旋回スクロール１５が、公転旋回運動を行う。
【００４９】
この旋回スクロール１５の旋回側端板５０における駆動装置側の面（端板のうず巻状ラップ５１を有する面と反対の面）には、図４に示すように、旋回スクロール１５の自転阻止機構のための４個の円形の有底穴である自転防止孔８０を形成する。
【００５０】
各自転防止孔８０には、それぞれ吸入側ハウジング２１に突設した４本のピンの先端部を差し込んで４本の各ピン８５がそれぞれ対応する自転防止孔８０の内周にガイドされるようにした自転阻止機構を構成する。
【００５１】
これにより、旋回スクロール１５は、回転軸１６の回転時に、偏心軸５４によって公転旋回運動を行う際に、自転阻止機構によって自転を阻止される。
【００５２】
このように構成したスクロール圧縮機では、駆動源側から駆動装置１３を介して駆動力が回転軸１６に伝達されると回転軸１６が回転し、回転軸１６の回転力が偏心軸５４等を介して旋回スクロール１５に伝達される。
【００５３】
そして、この旋回スクロール１５が自転阻止機構によって自転を阻止されながら公転軌道上を旋回する。すると、冷媒のガスが吸入口２６から圧縮室４０内に吸い込まれる。
【００５４】
旋回スクロール１４が旋回し続けると、これに伴って圧縮室４０が次第に狭められ、内部の冷媒のガスが圧縮されつつ中央部に至り、吐出ポート４６を通って吐出室４１へ吐出される。吐出弁４７は、圧縮室４０と吐出室４１との差圧により開閉する。即ち、圧縮室４０の冷媒のガス圧力が吐出室４１の圧力よりも高くなると、吐出弁４７を押し開いて高圧の冷媒のガスが吐出室４１に流出する。その後、高圧の冷媒のガスは、吐出室４１から吐出口４２を経て外部に吐出される。
【００５５】
図１に示すように、このスクロール圧縮機では、ハウジング１１の吸入側ハウジング２１側の内部で公転旋回運動を行う旋回スクロール１５に働く回転軸１６のスラスト方向の荷重を支受するために、吸入側ハウジング２１と旋回スクロール１５との間にスラスト軸受１０６（スラストプレート１００、側面５０Ａ、対向側面２１Ａ）を構成する。
【００５６】
このスラスト軸受１０６は、旋回スクロール１５の旋回側端板５０におけるうず巻状ラップ５１を設けた側面と反対側のスラスト軸受１０６用の側面５０Ａと、このスラスト軸受１０６用の側面５０Ａに隣接して平行に対向するよう吸入側ハウジング２１の内側面に形成したスラスト軸受１０６用の対向側面２１Ａとの間に、スラストプレート１００を配置して構成する。
【００５７】
このスラストプレート１００は、例えば、フッ素加工鋼板等で表面が低摩擦の円環状の薄板に構成する。
【００５８】
このように構成したスクロール圧縮機では、例えば、エアコンシステムの保護が故障した場合、スクロール圧縮機の吸入口２６から冷媒が流れ込まなくなり圧縮室４０内が真空に近い状態で運転された場合には、圧縮機内の吸入側ハウジング２１と旋回スクロール１５との間のスラスト軸受１０６部分（特にスラストプレート１００部分）の摺動部が、摩擦熱で直接発熱する摺動発熱源となって高温となる異常状態を生じることがまれにある。
【００５９】
また、このような異常状態では、吸入側ハウジング２１における支持部２８部分と従動プーリ３６との間に配置されたクラッチの軸受３７の付近が、吸入側ハウジング２１の他の位置よりも運転時のベース温度が高いので、高温となる異常状態を生じたときに、吸入側ハウジング２１におけるクラッチの軸受３７の付近の温度が最も短時間で異常状態判定用の閾値まで上昇する。
【００６０】
そこで、このスクロール圧縮機では、吸入側ハウジング２１のスラストプレート１００に近接した所定位置に取り付け穴１０１を形成し、この取り付け穴１０１内に高温の異常状態を検出するための温度検出手段である温度センサ１０２を設置して、その温度検出用先端部をスラストプレート１００に臨ませる。なお、温度検出手段は、一般に用いられている温度を検出するための種々のセンサ、器具、装置等を用いることができる。
【００６１】
さらに、この高温の異常状態を検出するための温度センサ１０２は、スラストプレート１００における、異常状態時に摩擦熱で最も早く高温となる部分に対応して配置すると、異常状態を検知する感度を向上できる。
【００６２】
また、このスクロール圧縮機では、異常状態時の早期に高温に昇温し易いクラッチの軸受３７の近傍（例えば、温度勾配が１０℃以内となる所）又はクラッチの軸受３７から熱伝導されて高温となり易い位置に、温度センサ１０２を配置しても良い。
【００６３】
すなわち、このスクロール圧縮機では、異常状態時に高温を発生する異常時発熱源（スラストプレート１００又はクラッチの軸受３７等）から熱エネルギが伝達され易くかつ蓄熱して昇温し易く、さらに冷えにくい部分（ハウジング１１における吸入側ハウジング２１側で、さらに温度勾配の低い部所）を選んで配置する。
【００６４】
これと共に、このスクロール圧縮機では、温度センサ１０２が、異常時発熱源の温度を直接的に検出し又は異常時発熱源から伝達された熱エネルギで加熱された固体若しくは剛体である部材の温度を間接的に検出する。
【００６５】
よって、このスクロール圧縮機では、冷媒等の流体又は気体といった媒体を媒介として異常時発熱源の温度を検出するものと比較して、冷媒等が流れにくくなるような異常時において、発熱源の温度検出が不能となることを防止できるので、異常時発熱源の温度の検出をより確実に実行できる。
【００６６】
さらに、異常時発熱源の温度を直接的に検出可能に温度センサ１０２を配置する場合には、異常時発熱源から熱エネルギを伝達する媒体を通して温度センサ１０２で温度を検出する場合と比較して媒体中を熱エネルギが伝達する時間を削減してリアルタイムで温度検出できるので、高温を発生する異常状態が発生した時に、直ちにスクロール圧縮機の動作を停止して損傷が発生することを有効に抑制できる。なお、温度センサ１０２は、スクロール圧縮機における低圧側にあって摩擦する場所に配置してもよい。
【００６７】
ここで言う冷えにくい部分（温度勾配の低い部所）というのは、例えば、ハウジング１１の吸入側ハウジング２１における吸入口２６から所定距離だけ離間した部分を意味する。この冷えにくい部分は、例えば、吸入側ハウジング２１における吸入口２６の部分を除いた部分であって、その部分に温度センサ１０２を設置した場合に、この温度センサ１０２の性能上、温度勾配があることによって生じる検出値の誤差が、測定の許容範囲に入るという条件を満たす部分であることを意味する。
【００６８】
例えば、このスクロール圧縮機では、図１に想像線で示すように、温度センサ１０２Ａを、吸入側ハウジング２１における支持部２８の根元側の所定位置に配置しても良い。
【００６９】
このように配置した温度センサ１０２は、検出した温度の検出温度信号を、制御部１０３へ送信するよう構成する。この検出温度信号を受信した制御部１０３は、受信した検出温度信号が異常状態時の高温以上に高いか否かを、予め設定された異常状態判定用の閾値（ここでは、誤作動を防止するため１００℃以上に設定する）と比較して判別し、異常状態時の高温以上に高いと判定したときに、切り離し制御信号を電磁石３８へ送信し、マグネットクラッチ１０５を切り離してスクロール圧縮機を停止させる制御を行う。
【実施例２】
【００７０】
次に、本発明の実施例２について、図５により説明する。この図５に示すスクロール圧縮機では、ハウジング１１における吸入側ハウジング２１Ａを吸入口２６より駆動装置１３側の位置までのハウジングとして構成し、吐出側ハウジング２２Ａを、吸入口２６を含む範囲までのハウジングとして構成したもの（すなわち、吸入側ハウジング２１Ａと吐出側ハウジング２２Ａとの繋ぎ目が、スラストプレート１００の付近に位置するように構成したもの）において、その吸入側ハウジング２１Ａ、あるいは吐出側ハウジングの低圧側２２Ｃにスラストプレート１００の温度を検出する温度センサ１０２を配置して構成する。
【００７１】
この場合でも、前述した図１に示すスクロール圧縮機と同様に適切にスラストプレート１００の温度を検出できることに変わりない。
【００７２】
なお、上述した本実施例２における以上説明した以外の構成、作用、効果は、前述した実施例１と同様であるので、同一部材には同一符号を付すこととして、その説明を省略する。
【実施例３】
【００７３】
次に、本発明の実施例３について、図６により説明する。この図６に示すスクロール圧縮機では、ハウジング１１における吸入側ハウジング２１Ｂを、駆動装置１３側から吸入口２６を含む圧縮部１２の途中までの範囲をカバーするハウジングとして構成し、吐出側ハウジング２２Ｂを、固定スクロール１４側から圧縮部１２の途中までの範囲をカバーするハウジングとして構成したもの（すなわち、吸入側ハウジング２１Ｂと吐出側ハウジング２２Ｂとの繋ぎ目が、圧縮部１２の途中に位置するように構成したもの）において、その吸入側ハウジング２１Ｂ、あるいは吐出側ハウジングの低圧側２２Ｄにスラストプレート１００の温度を検出する温度センサ１０２を配置して構成する。
【００７４】
この場合でも、前述した図１に示すスクロール圧縮機と同様に適切にスラストプレート１００の温度を検出できることに変わりない。
【００７５】
なお、上述した本実施例３における以上説明した以外の構成、作用、効果は、前述した実施例１と同様であるので、同一部材には同一符号を付すこととして、その説明を省略する。
【実施例４】
【００７６】
次に、本発明の実施例４について、図７により説明する。この図７に示すスクロール圧縮機では、ハウジング１１における吸入側ハウジング２１Ｃを吸入口２６より駆動装置１３側の位置までのハウジングとして構成し、吐出側ハウジング２２Ｃを、固定スクロール１４の固定側端板４４近傍までの範囲をカバーするハウジングとして構成し、吸入側ハウジング２１Ｃの端部開口と吐出側ハウジング２２Ｃの端部開口との間を一連に接続する中間ハウジング１０４を設けたもの（すなわち、吸入口２６を含み圧縮部１２部分をカバーする円筒状の中間ハウジング１０４を別途設けたもの）において、その吸入側ハウジング２１Ｃ、あるいは中間ハウジング１０４にスラストプレート１００の温度を検出する温度センサ１０２を配置して構成する。
【００７７】
この場合でも、前述した図１に示すスクロール圧縮機と同様に適切にスラストプレート１００の温度を検出できることに変わりない。なお、上述した本実施例４における以上説明した以外の構成、作用、効果は、前述した実施例１と同様であるので、同一部材には同一符号を付すこととして、その説明を省略する。
【００７８】
なお、本発明は、上述した実施の形態に限定されるものではなく、本発明の要旨を逸脱しない範囲で、その他種々の構成を取り得ることは勿論である。
【図面の簡単な説明】
【００７９】
【図１】本発明の圧縮機用の保護装置の実施の形態における実施例１に関わる、スクロール圧縮機の断面図である。
【図２】本発明の圧縮機用の保護装置の実施の形態に関わる、スクロール圧縮機の固定スクロール部分を取り出して示す斜視図である。
【図３】本発明の圧縮機用の保護装置の実施の形態に関わる、スクロール圧縮機の旋回スクロール部分を取り出して示す斜視図である。
【図４】本発明の圧縮機用の保護装置の実施の形態に関わる、スクロール圧縮機の旋回スクロール部分を取り出して旋回側端板の背面を示す背面図である。
【図５】本発明の圧縮機用の保護装置の実施の形態における実施例２に関わる、スクロール圧縮機の概略断面図である。
【図６】本発明の圧縮機用の保護装置の実施の形態における実施例３に関わる、スクロール圧縮機の概略断面図である。
【図７】本発明の圧縮機用の保護装置の実施の形態における実施例３に関わる、スクロール圧縮機の概略断面図である。
【符号の説明】
【００８０】
１１  ハウジング
１２  圧縮部
１３  駆動装置
１４  固定スクロール
１５  旋回スクロール
１６  回転軸
２１  吸入側ハウジング
２２  吐出側ハウジング
２６  吸入口
３７  軸受
３８  電磁石
３９  吸入室
１００  スラストプレート
１０２  温度センサ
１０３  制御部
１０４  中間ハウジング
１０５  マグネットクラッチ
１０６  スラスト軸受
【図１】
2008133778.tif 000003
【図２】
2008133778.tif 000004
【図３】
2008133778.tif 000005
【図４】
2008133778.tif 000006
【図５】
2008133778.tif 000007
【図６】
2008133778.tif 000008
【図７】
2008133778.tif 000009